【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
作動流体の液相と気相との相変化により複数の対象機器（ＢＰ、ＢＰ１、ＢＰ２、ＢＰ３）の温度を調整する機器温調装置であって、
前記複数の対象機器に対して設けられた複数のサーモサイフォン回路（１１、１２、５２、５９、６０）と、
流体冷却部（１８、２６）と、
加熱対象部（２０１）内の前記作動流体を加熱する流体加熱部（２０）とを備え、
前記複数のサーモサイフォン回路では互いに前記作動流体が独立に循環し、
前記複数のサーモサイフォン回路はそれぞれ、前記対象機器と前記作動流体とを熱交換させる機器用熱交換部（３０、３４、５４）と、該機器用熱交換部に連結され前記作動流体に熱交換させる連結熱交換部（３１、３５、５５）とを有し、
前記複数のサーモサイフォン回路が有する前記連結熱交換部はそれぞれ、該連結熱交換部内の前記作動流体が、別のサーモサイフォン回路が有する前記連結熱交換部内の前記作動流体と熱交換するように構成され、これにより、前記複数のサーモサイフォン回路の前記作動流体は互いに熱交換可能になっており、
前記複数のサーモサイフォン回路は、第１サーモサイフォン回路（１１）と第２サーモサイフォン回路（１２）とを含み、
前記第１サーモサイフォン回路の前記機器用熱交換部は、前記第２サーモサイフォン回路の前記機器用熱交換部に対して上側に配置され、
前記流体冷却部は冷却対象部（１８１、２６１）内の前記作動流体を冷却し、
前記冷却対象部は、前記複数のサーモサイフォン回路のうち、該複数のサーモサイフォン回路が有する複数の前記機器用熱交換部の中で最も上側に位置する前記機器用熱交換部を有する最上位置サーモサイフォン回路（１１、５９）の一部を構成し、
前記加熱対象部は、前記複数のサーモサイフォン回路のうち、該複数のサーモサイフォン回路が有する複数の前記機器用熱交換部の中で最も下側に位置する前記機器用熱交換部を有する最下位置サーモサイフォン回路（１２、５２、６０）の一部を構成する、機器温調装置。
【請求項２】
熱伝達部（１４、４０、４４、４６）を備え、
前記熱伝達部は、前記第１サーモサイフォン回路の前記連結熱交換部内の前記作動流体と熱交換する第１熱交換部（１４１）と、前記第２サーモサイフォン回路の前記連結熱交換部内の前記作動流体と熱交換する第２熱交換部（１４２）とを有し、該第１熱交換部と該第２熱交換部とを介して、前記第１サーモサイフォン回路の前記連結熱交換部内の前記作動流体と前記第２サーモサイフォン回路の前記連結熱交換部内の前記作動流体とを熱交換させる、請求項１に記載の機器温調装置。
【請求項３】
前記熱伝達部（１４、４４）は、熱媒体の液相と気相との相変化により前記第１熱交換部と前記第２熱交換部との間で熱を伝える、請求項２に記載の機器温調装置。
【請求項４】
前記熱伝達部（１４）は、熱媒体が循環する熱伝達用サーモサイフォン回路で構成され、
該熱伝達用サーモサイフォン回路は前記第１熱交換部と前記第２熱交換部とを含み、前記熱媒体の相変化を伴う循環により該第１熱交換部と該第２熱交換部との間で熱を伝えるものであり、
前記第１熱交換部は、該第１熱交換部内の前記熱媒体と前記第１サーモサイフォン回路の前記連結熱交換部内の前記作動流体との熱交換により該熱媒体を凝縮させ、
前記第２熱交換部は、該第２熱交換部内の前記熱媒体と前記第２サーモサイフォン回路の前記連結熱交換部内の前記作動流体との熱交換により該熱媒体を蒸発させる、請求項２に記載の機器温調装置。
【請求項５】
前記熱伝達部（４４）は、熱媒体が封入されたヒートパイプで構成され、
該ヒートパイプは前記第１熱交換部と前記第２熱交換部とを含み、前記熱媒体の相変化を伴う移動により該第１熱交換部と該第２熱交換部との間で熱を伝えるものであり、
前記第１熱交換部は、該第１熱交換部内の前記熱媒体と前記第１サーモサイフォン回路の前記連結熱交換部内の前記作動流体との熱交換により該熱媒体を凝縮させ、
前記第２熱交換部は、該第２熱交換部内の前記熱媒体と前記第２サーモサイフォン回路の前記連結熱交換部内の前記作動流体との熱交換により該熱媒体を蒸発させる、請求項２に記載の機器温調装置。
【請求項６】
前記熱伝達部（４０）は、熱交換液を循環させることにより前記第１熱交換部と前記第２熱交換部との間で熱を伝える液回路で構成されている、請求項２に記載の機器温調装置。
【請求項７】
前記熱伝達部（４６）は、熱伝導性を有する伝熱材で構成され、該伝熱材の熱伝導により前記第１熱交換部と前記第２熱交換部との間で熱を伝える、請求項２に記載の機器温調装置。
【請求項８】
作動流体の液相と気相との相変化により複数の対象機器（ＢＰ、ＢＰ１、ＢＰ２、ＢＰ３）の温度を調整する機器温調装置であって、
前記複数の対象機器に対して設けられた複数のサーモサイフォン回路（１１、１２、５２、５９、６０）と、
流体冷却部（１８、２６）と、
熱伝達部（４４）とを備え、
前記複数のサーモサイフォン回路では互いに前記作動流体が独立に循環し、
前記複数のサーモサイフォン回路はそれぞれ、前記対象機器と前記作動流体とを熱交換させる機器用熱交換部（３０、３４、５４）と、該機器用熱交換部に連結され前記作動流体に熱交換させる連結熱交換部（３１、３５、５５）とを有し、
前記複数のサーモサイフォン回路が有する前記連結熱交換部はそれぞれ、該連結熱交換部内の前記作動流体が、別のサーモサイフォン回路が有する前記連結熱交換部内の前記作動流体と熱交換するように構成され、これにより、前記複数のサーモサイフォン回路の前記作動流体は互いに熱交換可能になっており、
前記複数のサーモサイフォン回路は、第１サーモサイフォン回路（１１）と第２サーモサイフォン回路（１２）とを含み、
前記第１サーモサイフォン回路の前記機器用熱交換部は、前記第２サーモサイフォン回路の前記機器用熱交換部に対して上側に配置され、
前記流体冷却部は冷却対象部（１８１、２６１）内の前記作動流体を冷却し、
前記冷却対象部は、前記複数のサーモサイフォン回路のうち、該複数のサーモサイフォン回路が有する複数の前記機器用熱交換部の中で最も上側に位置する前記機器用熱交換部を有する最上位置サーモサイフォン回路（１１、５９）の一部を構成し、
前記熱伝達部は、前記第１サーモサイフォン回路の前記連結熱交換部内の前記作動流体と熱交換する第１熱交換部（１４１）と、前記第２サーモサイフォン回路の前記連結熱交換部内の前記作動流体と熱交換する第２熱交換部（１４２）とを有し、該第１熱交換部と該第２熱交換部とを介して、前記第１サーモサイフォン回路の前記連結熱交換部内の前記作動流体と前記第２サーモサイフォン回路の前記連結熱交換部内の前記作動流体とを熱交換させ、
前記熱伝達部は、熱媒体が封入されたヒートパイプで構成され、
該ヒートパイプは前記第１熱交換部と前記第２熱交換部とを含み、前記熱媒体の相変化を伴う移動により該第１熱交換部と該第２熱交換部との間で熱を伝えるものであり、
前記第１熱交換部は、該第１熱交換部内の前記熱媒体と前記第１サーモサイフォン回路の前記連結熱交換部内の前記作動流体との熱交換により該熱媒体を凝縮させ、
前記第２熱交換部は、該第２熱交換部内の前記熱媒体と前記第２サーモサイフォン回路の前記連結熱交換部内の前記作動流体との熱交換により該熱媒体を蒸発させる、機器温調装置。
【請求項９】
作動流体の液相と気相との相変化により複数の対象機器（ＢＰ、ＢＰ１、ＢＰ２、ＢＰ３）の温度を調整する機器温調装置であって、
前記複数の対象機器に対して設けられた複数のサーモサイフォン回路（１１、１２、５２、５９、６０）と、
流体冷却部（１８、２６）と、
熱伝達部（４０）とを備え、
前記複数のサーモサイフォン回路では互いに前記作動流体が独立に循環し、
前記複数のサーモサイフォン回路はそれぞれ、前記対象機器と前記作動流体とを熱交換させる機器用熱交換部（３０、３４、５４）と、該機器用熱交換部に連結され前記作動流体に熱交換させる連結熱交換部（３１、３５、５５）とを有し、
前記複数のサーモサイフォン回路が有する前記連結熱交換部はそれぞれ、該連結熱交換部内の前記作動流体が、別のサーモサイフォン回路が有する前記連結熱交換部内の前記作動流体と熱交換するように構成され、これにより、前記複数のサーモサイフォン回路の前記作動流体は互いに熱交換可能になっており、
前記複数のサーモサイフォン回路は、第１サーモサイフォン回路（１１）と第２サーモサイフォン回路（１２）とを含み、
前記第１サーモサイフォン回路の前記機器用熱交換部は、前記第２サーモサイフォン回路の前記機器用熱交換部に対して上側に配置され、
前記流体冷却部は冷却対象部（１８１、２６１）内の前記作動流体を冷却し、
前記冷却対象部は、前記複数のサーモサイフォン回路のうち、該複数のサーモサイフォン回路が有する複数の前記機器用熱交換部の中で最も上側に位置する前記機器用熱交換部を有する最上位置サーモサイフォン回路（１１、５９）の一部を構成し、
前記熱伝達部は、前記第１サーモサイフォン回路の前記連結熱交換部内の前記作動流体と熱交換する第１熱交換部（１４１）と、前記第２サーモサイフォン回路の前記連結熱交換部内の前記作動流体と熱交換する第２熱交換部（１４２）とを有し、該第１熱交換部と該第２熱交換部とを介して、前記第１サーモサイフォン回路の前記連結熱交換部内の前記作動流体と前記第２サーモサイフォン回路の前記連結熱交換部内の前記作動流体とを熱交換させ、
前記熱伝達部は、熱交換液を循環させることにより前記第１熱交換部と前記第２熱交換部との間で熱を伝える液回路で構成されている、機器温調装置。
【手続補正２】
【補正対象書類名】明細書
【補正対象項目名】０００８
【補正方法】変更
【補正の内容】
【０００８】
上記目的を達成するため、請求項１に記載の機器温調装置は、
作動流体の液相と気相との相変化により複数の対象機器（ＢＰ、ＢＰ１、ＢＰ２、ＢＰ３）の温度を調整する機器温調装置であって、
複数の対象機器に対して設けられた複数のサーモサイフォン回路（１１、１２、５２、５９、６０）と、
流体冷却部（１８、２６）と、
加熱対象部（２０１）内の作動流体を加熱する流体加熱部（２０）とを備え、
複数のサーモサイフォン回路では互いに作動流体が独立に循環し、
複数のサーモサイフォン回路はそれぞれ、対象機器と作動流体とを熱交換させる機器用熱交換部（３０、３４、５４）と、その機器用熱交換部に連結され作動流体に熱交換させる連結熱交換部（３１、３５、５５）とを有し、
複数のサーモサイフォン回路が有する連結熱交換部はそれぞれ、その連結熱交換部内の作動流体が、別のサーモサイフォン回路が有する連結熱交換部内の作動流体と熱交換するように構成され、これにより、複数のサーモサイフォン回路の作動流体は互いに熱交換可能になっており、
複数のサーモサイフォン回路は、第１サーモサイフォン回路（１１）と第２サーモサイフォン回路（１２）とを含み、
第１サーモサイフォン回路の機器用熱交換部は、第２サーモサイフォン回路の機器用熱交換部に対して上側に配置され、
流体冷却部は冷却対象部（１８１、２６１）内の作動流体を冷却し、
冷却対象部は、複数のサーモサイフォン回路のうち、その複数のサーモサイフォン回路が有する複数の機器用熱交換部の中で最も上側に位置する機器用熱交換部を有する最上位置サーモサイフォン回路（１１、５９）の一部を構成し、
加熱対象部は、複数のサーモサイフォン回路のうち、その複数のサーモサイフォン回路が有する複数の機器用熱交換部の中で最も下側に位置する機器用熱交換部を有する最下位置サーモサイフォン回路（１２、５２、６０）の一部を構成する。